(57)【要約】【課題】簡易な構造によって、液体貯留部から液体の供給を受けると共に、記録ヘッドに対して液体を供給する液体供給技術を提供する。【解決手段】液体供給装置１０では、ステムボディ４ｂがフィルム部材３を押圧することにより連通孔６が密閉されている状態から、第二凹部１の液体の減少に伴って発生する負圧によってフィルム部材３が第二凹部１に吸引されることにより、連通孔６が開放されるようになっている。【選択図】図２
2014108583.tif 000002
【特許請求の範囲】
【請求項１】
液体貯留部から記録ヘッドに液体を供給する液体供給経路上に設けられる液体供給装置であって、
該液体貯留部に連通する連通孔が設けられた第一凹部と、
該記録ヘッドに連通する第二凹部と、
第一凹部および第二凹部を一体で覆う可撓性のフィルム部材と、
該フィルム部材を、該連通孔に近づく方向に押圧する押圧部材と、
該押圧部材を該方向に付勢する付勢部材と、を備えており、
該押圧部材による押圧により該連通孔が密閉されている状態から、第二凹部の液体の減少に伴って発生する負圧によって該フィルム部材が第二凹部に吸引されることにより、該連通孔が開放されるようになっていることを特徴とする液体供給装置。
【請求項２】
第一凹部と第二凹部と連通する連絡流路を備えていることを特徴とする請求項１に記載の液体供給装置。
【請求項３】
上記フィルム部材は、上記連通孔と当接する位置に弾性部材を備えていることを特徴とする請求項１又は２に記載の液体供給装置。
【請求項４】
上記付勢部材は、上記フィルム部材を付勢する付勢力を調節する調節機構を備えていることを特徴とする請求項１〜３の何れか一項に記載の液体供給装置。
【請求項５】
請求項１〜４の何れか一項に記載の液体供給装置と、上記液体貯留部と、上記記録ヘッドと、を備え、
上記液体貯留部から上記液体供給装置に対して、水頭差または加圧手段によって上記液体を圧送するようになっていることを特徴とするインクジェット記録装置。
【請求項６】
液体貯留部から記録ヘッドに液体を供給する液体供給経路上に設けられ、該液体貯留部に連通する連通孔が設けられた第一凹部と、該記録ヘッドに連通する第二凹部と、第一凹部および第二凹部を一体で覆う可撓性のフィルム部材と、押圧部材と、付勢部材と、を備えた液体供給装置から該記録ヘッドへの液体供給方法であって、
該付勢部材によって付勢された該押圧部材が、該フィルム部材を該連通孔に近づく方向に押圧することにより、該連通孔を密閉する工程と、
第二凹部の液体の減少に伴って発生する負圧によって該フィルム部材を第二凹部に吸引することにより、該連通孔を開放する工程と、を包含することを特徴とする液体供給方法。
【発明の詳細な説明】
【技術分野】
【０００１】
本発明は、液体供給装置、インクジェット記録装置、及び液体供給装置に関する。
【背景技術】
【０００２】
液体噴射装置において、液体収容体から液体の供給を受けると共に、液体噴射ヘッドに液体を供給するためのバルブユニットとして、圧力室に、バルブと、付勢部材と、圧力室内の液体減少によって変位し、その変位を前記バルブに直接伝達することにより前記付勢部材の付勢力に抗して前記バルブを動作させる可撓性のフィルム部材と、が設けられたバルブユニットが特許文献１に記載されている。
【先行技術文献】
【特許文献】
【０００３】
【特許文献１】国際公開ＷＯ２００３／０４１９６４号パンフレット（２００３年５月２２日公開）
【発明の概要】
【発明が解決しようとする課題】
【０００４】
特許文献１に記載のバルブユニットでは、圧力室内に付勢部材及びバルブを設ける必要があり、部品点数が多く構造が複雑となるためコストの面で好ましくない。
【０００５】
本発明は、上記問題に鑑みてなされたものであり、簡易な構造によって、液体貯留部から液体の供給を受けると共に、記録ヘッドに対して液体を供給する液体供給技術を提供することを主たる目的とする。
【課題を解決するための手段】
【０００６】
本発明に係る液体供給装置は、液体貯留部から記録ヘッドに液体を供給する液体供給経路上に設けられる液体供給装置であって、該液体貯留部に連通する連通孔が設けられた第一凹部と、該記録ヘッドに連通する第二凹部と、第一凹部および第二凹部を一体で覆う可撓性のフィルム部材と、該フィルム部材を、該連通孔に近づく方向に押圧する押圧部材と、該押圧部材を該方向に付勢する付勢部材と、を備えており、該押圧部材による押圧により該連通孔が密閉されている状態から、第二凹部の液体の減少に伴って発生する負圧によって該フィルム部材が第二凹部に吸引されることにより、該連通孔が開放されるようになっていることを特徴としている。
【０００７】
上記構成によれば、液体供給装置は、記録ヘッドに対して第二凹部から液体を供給する。このとき、第一凹部の連通孔は、付勢部材の付勢力により押圧部材がフィルム部材を押圧することによって密閉されている。そのため、記録ヘッドに液体を供給するにつれ、第二凹部の液体は減少し、第二凹部の負圧が高まることになる。すると、フィルム部材は当該負圧によって第二凹部に吸引され、第一凹部を覆うフィルム部材も、第二凹部に向けて引っ張られることになる。この張力が大きくなると、押圧部材を連通孔とは反対方向に押し戻すように働き、連通孔が開放される。すると、当該連通孔を介して液体貯留部から液体が第一凹部に供給される。第一凹部に供給された液体は、第二凹部の負圧によって第二凹部に移動する。第二凹部に十分に液体が供給されると、第二凹部の負圧が減少し、フィルム部材に働く上記張力が減少するため、再度、付勢部材の付勢力により押圧部材がフィルム部材を押圧することによって、第一凹部の連通孔が密閉される。以上の繰り返しにより、上記の構成によれば、簡易な構成で、円滑に、液体貯留部から液体の供給を受けると共に、記録ヘッドに対して液体を供給することができる。
【０００８】
本発明に係る液体供給装置は、第一凹部と第二凹部と連通する連絡流路を備えていることが好ましい。
【０００９】
上記構成によれば、第一凹部の連通孔が開放された際に、当該連通孔を介して液体貯留部から供給された液体の第一凹部から第二凹部への移動が円滑になされる。これにより、より好適に、液体貯留部から液体の供給を受けると共に、記録ヘッドに対して液体を供給することができる。
【００１０】
本発明に係る液体供給装置では、上記フィルム部材は、上記連通孔と当接する位置に弾性部材を備えていることが好ましい。
【００１１】
上記構成によれば、弾性部材が連通孔に当接することにより、より好適に連通孔を密閉することができる。また、弾性部材を設けることにより、連通孔と連通孔を密閉する部材との間の距離を短くすることができる。これにより、フィルム部材において必要となる変位量が小さくなり、フィルム部材の撓み、しわ、ヨレを低減し、連通孔を容易に密閉することができる。
【００１２】
本発明に係る液体供給装置では、上記付勢部材は、上記フィルム部材を付勢する付勢力を調節する調節機構を備えているものであってもよい。
【００１３】
上記構成によれば、調節機構によって、インクの種類、使用環境に応じた付勢力を押圧部材に与えることができる。
【００１４】
本発明に係るインクジェット記録装置は、本発明に係る液体供給装置と、上記液体貯留部と、上記記録ヘッドと、を備え、上記液体貯留部から上記液体供給装置に対して、水頭差または加圧手段によって上記液体を圧送するようになっていることを特徴としている。
【００１５】
上記構成によれば、簡易な構成で、記録ヘッドへの液体を円滑に供給し得るインクジェット記録装置を提供することができる。
【００１６】
本発明に係る液体供給方法は、液体貯留部から記録ヘッドに液体を供給する液体供給経路上に設けられ、該液体貯留部に連通する連通孔が設けられた第一凹部と、該記録ヘッドに連通する第二凹部と、第一凹部および第二凹部を一体で覆う可撓性のフィルム部材と、押圧部材と、付勢部材と、を備えた液体供給装置から該記録ヘッドへの液体供給方法であって、該付勢部材によって付勢された該押圧部材が、該フィルム部材を該連通孔に近づく方向に押圧することにより、該連通孔を密閉する工程と、第二凹部の液体の減少に伴って発生する負圧によって該フィルム部材を第二凹部に吸引することにより、該連通孔を開放する工程と、を包含することを特徴としている。
【００１７】
上記構成によれば、本発明に係る液体供給装置と同等の効果を奏することができる。
【発明の効果】
【００１８】
本発明によれば、簡易な構成で、円滑に、液体貯留部から液体の供給を受けると共に、記録ヘッドに対して液体を供給することができる。
【図面の簡単な説明】
【００１９】
【図１】本発明の一実施形態に係るインクジェット記録装置の概略構成を示すブロック図である。
【図２】本発明の一実施形態に係る液体供給装置を模式的に示す側方断面図であり、（ａ）は、連通孔が閉じられた状態を示し、（ｂ）は、連通孔が開かれた状態を示す。
【図３】本発明の一実施形態に係る液体供給装置における第一凹部および第二凹部を模式的に示す斜視図である。
【図４】本発明の一実施形態に係る液体供給装置におけるフィルム部材、弾性部材および押圧部材の構成を説明するための図であり、（ａ）は、分解した状態を示し、（ｂ）は、組み合わせた状態を示す。
【図５】本発明の一変形例に係る液体供給装置を模式的に示す側方断面図である。
【発明を実施するための形態】
【００２０】
以下、本発明に係る液体供給装置の実施の形態について、図を用いて詳細に説明する。本発明に係る液体供給装置は、記録ヘッドが吐出すべき液体を、当該記録ヘッドに供給する装置であり、一実施形態において、インクジェット記録装置に組み込まれ得る。
【００２１】
図１は、本発明の一実施形態に係るインクジェット記録装置２１の概略構成を示すブロック図である。図１に示すように、インクジェット記録装置２１は、液体貯留部１１、液体供給装置１０、記録ヘッド１２、キャリッジ１３、プラテン１４、及びローラー１５を備えている。
【００２２】
記録ヘッド１２は、キャリッジ１３によってプラテン１４の上を移動しながら、プラテン１４の上に供給された記録媒体に液体を吐出することによって印刷を行う。印刷された記録媒体は、プラテン１４に備えられたローラー１５によって移送される。
【００２３】
このとき、液体供給装置１０は、記録ヘッド１２に対して液体を供給する。液体供給装置１０が記録ヘッド１２に供給する液体は、記録ヘッド１２から記録媒体上に吐出すべき液体であり、これに限定するものではないが、典型的にはインクである。液体供給装置１０は、液体貯留部１１から当該液体の供給を受ける。
【００２４】
一実施形態において、液体貯留部１１は、液体を貯留し、水頭差又は加圧手段（例えば、ポンプ等）によって液体供給装置１０に対して液体を圧送する。
【００２５】
（液体供給装置の構成）
図２（ａ）及び（ｂ）は本発明の一実施形態に係る液体供給装置１０の概略構成を模式的に示す側方断面図であり、（ａ）は、連通孔が閉じられた状態を示し、（ｂ）は、連通孔が開かれた状態を示す。図２（ａ）に示すように、液体供給装置１０は、第一凹部２、第二凹部１、フィルム部材３、ステムボディ（押圧部材）４ｂ、スプリング（付勢部材）５ａ、及びスプリングガイド（付勢部材）５ｂを備えている。
【００２６】
第一凹部２は、液体貯留部１１と連通する連通孔６を備えており、連通孔６を介して液体貯留部１１から液体の供給を受ける。また、第二凹部１は、記録ヘッド１２に液体を供給するための供給孔７を備えている。第一凹部２および第二凹部１の間は、フィルムガイド（隔壁）９によって隔てられている。
【００２７】
なお、本実施形態では、連通孔６は、第一凹部２の底面の開口部に固定されたラバーバルブ１ａに設けられた孔となっているが、これに限定されない。但し、連通孔６をラバーバルブ１ａのような弾性を有する部材に設けることにより、後述する連通孔６の密閉を好適に行うことができる。
【００２８】
フィルム部材３にはステムヘッド（弾性部材）４ａが設けられており、ステムヘッド４ａおよびステムボディ４ｂによってバルブステムを構成している。
【００２９】
図３は、第一凹部および第二凹部を模式的に示す斜視図である。図３に示すように、第二凹部１は、第一凹部２を囲うように設けられている。第一凹部２および第二凹部１を隔てるフィルムガイド９には、第一凹部２および第二凹部１を連通する連絡流路８が設けられており、連通孔６を介して第一凹部２に供給された液体は、フィルムガイド９とフィルム部材３との隙間だけでなく連絡流路８を通じて第二凹部１に供給される。フィルムガイド９に設けられる連絡流路８は、図３に示すような溝形状に限られず、孔状でもよい。孔状である場合、フィルム部材３がフィルムガイド９に当たったときに、連絡流路８がフィルム部材３を損傷することを防ぐことができる。連絡流路８は第一凹部２から第二凹部１へ液体を円滑に導入するために設けられ、特に数は限定されない。なお、別の実施形態において、連絡流路８がない場合でも、フィルムガイド９とフィルム部材３の隙間を介して第一凹部２から第二凹部１に液体を供給することができる。
【００３０】
フィルム部材３は、第一凹部２と第二凹部１とを一体で覆っている。フィルム部材３は可撓性を有し、後述するように、第二凹部１における負圧の変化に伴って変位する。フィルム部材３は、可撓性を有していればよいが、張力によって伸び難いものがより好ましい。フィルム部材３の例としては、ポリプロピレン、ポリエチレンおよびポリエチレンテレフタラートからなるフィルムが挙げられる。一実施形態において、フィルム部材３はポリプロピレン又はポリエチレンとポリエチレンテレフタラートとを積層したフィルムをもちいてよく、第一凹部２および第二凹部１に対面する側にポリプロピレン又はポリエチレンを配するとよい。フィルム部材３が当該構成である場合、フィルム部材３に付加される張力に対する耐久性をポリエチレンテレフタラートによって維持しつつ、ポリプロピレン又はポリエチレンによって第一凹部２及び第二凹部１に供給される液体に対する耐溶剤性を向上させることができる。なお、フィルム部材３の材質は使用される液体によって適宜変更してもよい。
【００３１】
スプリング５ａは、スプリングガイド５ｂに固定されており、ステムボディ４ｂに対して、連通孔６に近づく方向へ付勢力を加える。ステムボディ４ｂは、当該付勢力を受けて、フィルム部材３を押圧する。なお、スプリング５ａは、交換可能に構成されていてもよく、その場合、付勢力を記録ヘッド１２に供給する液体や、使用環境等に応じて可変とすることができる。
【００３２】
フィルム部材３は、連通孔６に当接する部位にステムヘッド４ａを備えており、ステムボディ４ｂに連通孔６に近づく方向へ押圧されることによって、当該ステムヘッド４ａが連通孔６を密閉し得る。ステムヘッド４ａは弾性体であり、このような弾性体が連通孔６に当接することにより、より好適に連通孔６を密閉することができる。
【００３３】
また、ステムヘッド４ａを設けることにより、連通孔６と連通孔６を密閉する部材との間の距離を短くすることができる。これにより、連通孔６を容易に密閉することができる。
【００３４】
なお、ステムヘッド４ａおよびステムボディ４ｂは一体化されていてもよい。図４は、フィルム部材３、ステムヘッド４ａおよびステムボディ４ｂの構成を説明するための図であり、（ａ）は、分解した状態を示し、（ｂ）は、組み合わせた状態を示す。図４（ａ）及び（ｂ）に示すように、フィルム部材３に孔を開け、ステムヘッド４ａとステムボディ４ｂとで、フィルム部材３を挟むように固定してもよい。このとき、フィルム部材３と、ステムヘッド４ａおよびステムボディ４ｂとは、フィルム部材３の材質に合わせて、接着剤又は熱融着によって固定してもよい。例えば、フィルム部材３として、ステムヘッド４ａ側にポリプロピレンまたはポリエチレンとポリエチレンテレフタラートとを積層したフィルムを用いる場合、ステムヘッド４ａとフィルム部材３（ポリプロピレンまたはポリエチレン側）とは熱融着させ、ステムボディ４ｂとフィルム部材３（ポリエチレンテレフタラート側）とは、接着剤によって接着してもよい。ポリエチレンテレフタラートの融点はポリプロピレンおよびポリエチレンよりも高いため、ステムボディ４ｂをフィルム部材３（ポリエチレンテレフタラート側）に溶着しようとすると、溶着する面の反対側のフィルム部材３（ポリプロピレンまたはポリエチレン側）も軟化してしまう。ステムヘッド４ａとフィルム部材３（ポリプロピレンまたはポリエチレン側）の熱融着をポリプロピレンおよびポリエチレンの融点以上かつポリエチレンテレフタラートの融点未満で行えばこのような問題は発生しない。
【００３５】
なお、ステムボディ４ｂにおけるステムヘッド４ａに対向する面の方が、ステムヘッド４ａにおけるステムボディ４ｂに対向する面より広いことが好ましい。ステムボディ４ｂの面の方が、ステムヘッド４ａの面より広いことで、フィルム部材３とステムボディ４ｂとの当接部位への応力の集中を抑えることができ、フィルム部材３の当該部位の耐久性を向上させることができる。
【００３６】
なお、別の実施形態において、フィルム部材３は、ステムヘッド４ａを備えていなくてもよく、フィルム部材３が連通孔６を直接密閉するようにしてもよい。
【００３７】
（液体供給装置の動作）
まず、図２（ａ）に示す状態において、液体供給装置１０は、記録ヘッド１２に対して第二凹部１から供給孔７を介して液体を供給する。このとき、スプリング５ａの付勢力によりステムボディ４ｂがフィルム部材３を押圧し、ステムヘッド４ａが連通孔６に当接することによって、連通孔６は密閉されている。
【００３８】
そのため、記録ヘッド１２に液体を供給するにつれ、第二凹部１の液体は減少し、第二凹部１の負圧が高まることになる。すると、フィルム部材３は当該負圧によって第二凹部１に吸引され、第一凹部２を覆うフィルム部材３も、フィルムガイド９から第二凹部１に向けて引っ張られることになる。この張力は、連通孔６に近づく方向に付勢されているステムボディ４ｂへの抗力として働く。この張力が大きくなると、ステムボディ４ｂを連通孔６とは反対方向に押し戻すように働き、図２（ｂ）に示すように連通孔６が開放される。すると、当該連通孔６を介して液体貯留部１１から液体が第一凹部２に供給される。第一凹部２に供給された液体は、第二凹部１の負圧によって第二凹部１に移動する。
【００３９】
そして、第二凹部１に十分に液体が供給されると、第二凹部１の負圧が減少し、フィルム部材３に働く上記張力が減少するため、再度、スプリング５ａの付勢力によりステムボディ４ｂがフィルム部材３を押圧することによって、連通孔６が密閉される。以上の繰り返しにより、液体供給装置１０は、簡易な構成で、円滑に、液体貯留部１１から液体の供給を受けると共に、記録ヘッド１２に対して液体を供給することができる。
【００４０】
（変形例）
図５に示すように、一変形例において、液体供給装置１０’は、スプリング５ａの付勢力を調整するための調整ノブ（調節機構）５ｃを備えてもよい。調整ノブ５ｃは、ねじ式のような方法によりステムボディ（押圧部材）４ｂと調整ノブ５ｃの間の距離を調整することによって、スプリング５ａによる付勢力を調整することができる。
【００４１】
調整ノブを備えることによって、付勢力を調節することが可能となり、インクの種類、使用環境に応じた付勢力を押圧部材に与えることができる。これにより、容易に連通孔６の開放／閉塞（密閉）圧力の設定値を変更することができる。この構成により、例えば、液体供給装置１０’と記録ヘッド１２との間に、バルブや脱気モジュール等の機器を挟んだり、送液チューブの長さが変わって流路抵抗が変化した場合や、記録ヘッド１２の物理的高さが変化した場合に、圧力調整によって記録ヘッド１２内部の圧力を一定に保つよう微調整が可能となる。
【００４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４３】
＜付記事項＞
本発明に係る液体供給装置１０は、液体貯留部１１から記録ヘッド１２に液体を供給する液体供給経路上に設けられる液体供給装置であって、液体貯留部１１に連通する連通孔６が設けられた第一凹部２と、記録ヘッド１２に連通する第二凹部１と、第一凹部２および第二凹部１を一体で覆う可撓性のフィルム部材３と、フィルム部材３を、連通孔６に近づく方向に押圧するステムボディ（押圧部材）４ｂと、ステムボディ（押圧部材）４ｂを該方向に付勢するスプリング（付勢部材）５ａ及び５ｂと、を備えており、ステムボディ（押圧部材）４ｂによる押圧により連通孔６が密閉されている状態から、第二凹部１の液体の減少に伴って発生する負圧によってフィルム部材３が第二凹部１に吸引されることにより、連通孔６が開放されるようになっている。
【００４４】
上記構成によれば、液体供給装置１０は、記録ヘッド１２に対して第二凹部１から液体を供給する。このとき、第一凹部２の連通孔６は、付勢部材の付勢力によりステムボディ（押圧部材）４ｂがフィルム部材３を押圧することによって密閉されている。そのため、記録ヘッド１２に液体を供給するにつれ、第二凹部１の液体は減少し、第二凹部１の負圧が高まることになる。すると、フィルム部材３は当該負圧によって第二凹部１に吸引され、第一凹部２を覆うフィルム部材も、第二凹部１に向けて引っ張られることになる。この張力が大きくなると、ステムボディ（押圧部材）４ｂを連通孔６とは反対方向に押し戻すように働き、連通孔６が開放される。すると、連通孔６を介して液体貯留部１１から液体が第一凹部２に供給される。第一凹部２に供給された液体は、第二凹部１の負圧によって第二凹部１に移動する。第二凹部１に十分に液体が供給されると、第二凹部１の負圧が減少し、フィルム部材３に働く上記張力が減少するため、再度、スプリング（付勢部材）５ａ及び５ｂの付勢力によりステムボディ（押圧部材）４ｂがフィルム部材３を押圧することによって、第一凹部２の連通孔６が密閉される。以上の繰り返しにより、上記の構成によれば、簡易な構成で、円滑に、液体貯留部１１から液体の供給を受けると共に、記録ヘッド１２に対して液体を供給することができる。
【００４５】
一変形例において、液体供給装置１０は、第一凹部２と第二凹部１と連通する連絡流路８を備えている。
【００４６】
上記構成によれば、第一凹部２の連通孔６が開放された際に、連通孔６を介して液体貯留部１１から供給された液体の第一凹部２から第二凹部１への移動が円滑になされる。これにより、より好適に、液体貯留部１１から液体の供給を受けると共に、記録ヘッド１２に対して液体を供給することができる。
【００４７】
一変形例において、フィルム部材３は、連通孔６と当接する位置にステムヘッド（弾性部材）４ａを備えている。
【００４８】
上記構成によれば、ステムヘッド（弾性部材）４ａが連通孔６に当接することにより、より好適に連通孔６を密閉することができる。また、ステムヘッド（弾性部材）４ａを設けることにより、連通孔６と連通孔６を密閉する部材との間の距離を短くすることができる。これにより、フィルム部材３において必要となる変位量が小さくなり、フィルム部材３の撓み、しわ、ヨレを低減し、連通孔６を容易に密閉することができる。
【００４９】
一変形例において、スプリング（付勢部材）５ａ及び５ｂは、フィルム部材３を付勢する付勢力を調節する調整ノブ５ｃを備えているものであってもよい。
【００５０】
上記構成によれば、調整ノブ５ｃによって、インクの種類、使用環境に応じた付勢力をステムボディ（押圧部材）４ｂに与えることができる。
【００５１】
本発明に係るインクジェット記録装置２１は、本発明に係る液体供給装置１０と、液体貯留部１１と、上記記録ヘッド１２と、を備え、液体貯留部１１から液体供給装置１０に対して、水頭差または加圧手段によって上記液体を圧送するようになっている。
【００５２】
上記構成によれば、簡易な構成で、記録ヘッド１２への液体を円滑に供給し得るインクジェット記録装置２１を提供することができる。
【００５３】
本発明に係る液体供給方法は、液体貯留部１１から記録ヘッド１２に液体を供給する液体供給経路上に設けられ、液体貯留部１１に連通する連通孔６が設けられた第一凹部２と、記録ヘッド１２に連通する第二凹部１と、第一凹部２および第二凹部１を一体で覆う可撓性のフィルム部材３と、ステムボディ（押圧部材）４ｂと、スプリング（付勢部材）５ａ及びスプリングガイド（付勢部材）５ｂと、を備えた液体供給装置１０から記録ヘッド１２への液体供給方法であって、スプリング（付勢部材）５ａ及びスプリングガイド（付勢部材）５ｂによって付勢されたステムボディ（押圧部材）４ｂが、フィルム部材３を連通孔６に近づく方向に押圧することにより、６連通孔を密閉する工程と、第二凹部１の液体の減少に伴って発生する負圧によってフィルム部材３を第二凹部１に吸引することにより、連通孔６を開放する工程と、を包含する。
【００５４】
上記構成によれば、本発明に係る液体供給装置１０と同等の効果を奏することができる。
【産業上の利用可能性】
【００５５】
本発明は、インクジェット記録装置における液体供給装置に利用することができる。
【符号の説明】
【００５６】
１      第二凹部
１ａ    ラバーバルブ
２      第一凹部
３      フィルム部材
４ａ    ステムヘッド（弾性部材）
４ｂ    ステムボディ（押圧部材）
５ａ    スプリング（付勢部材）
５ｂ    スプリングガイド（付勢部材）
５ｃ    調整ノブ（調節機構）
６      連通孔
７      供給孔
８      連絡流路
９      フィルムガイド
１０    液体供給装置
１１    液体貯留部
１２    記録ヘッド
１３    キャリッジ
１４    プラテン
１５    ローラー
２１    インクジェット記録装置
【図１】
2014108583.tif 000003
【図２】
2014108583.tif 000004
【図３】
2014108583.tif 000005
【図４】
2014108583.tif 000006
【図５】
2014108583.tif 000007